(57)【要約】      （修正有）【課題】折った刃先を確実・安全に処理でき環境にやさしいカッターナイフにおける折り刃収納ケースを提供する。【解決手段】硬質プラスチック等の非磁性体素材で、それぞれ、外容器１と該外容器内に収納可能な内容器２を取り出し可能に設けたケーシング本体Ｘを設け、該ケーシング本体Ｘの上面には、透明素材で形成した除き窓３を設け、ケーシング本体Ｘの一側面には、カッターナイフの刃部を差し込み、かつ、刃折りをするための差し込み溝４を設け、また、ケーシング本体Ｘの外容器１に、吊り下げ用の穴５を設けたことを特徴とする折り刃式カッターナイフにおける折り刃収納ケースから構成される。【選択図】図４
0003188862.tif 000002
【実用新案登録請求の範囲】
【請求項１】
硬質プラスチック等の非磁性体素材で、それぞれ、外容器（１）と該外容器内に収納可能な内容器（２）を取り出し可能に設けたケーシング本体（Ｘ）を設け、
該ケーシング本体（Ｘ）の上面には、透明素材で形成した除き窓（３）を設け、
ケーシング本体（Ｘ）の一側面には、カッターナイフ（Ｙ）の刃部（７）を差し込み、かつ、該ナイフの先端刃の刃折りをするための差し込み溝（４）を設けたことを
特徴とする折り刃式カッターナイフにおける折り刃収納ケース。
【考案の詳細な説明】
【技術分野】
【０００１】
この考案は、折り刃式カッターナイフにおける折り刃収納ケースに関するものである。
【背景技術】
【０００２】
従来、市販の工作用の折り刃式カッターナイフは、先端の刃先が切れなくなると、順次、その先端の刃先を折り、新しい刃を出して使用するものであり、従来のカッターナイフのよちうに、その都度、刃先を研いだりする必要がなく、切れ味のよい新しい先端部の刃となり、大変便利なナイフである。
【０００３】
そして、この折り刃式カッターナイフの刃先を折る際には、刃部はいたって堅牢であり、机、壁、あるいは床に刃先を押し当てながら、握り部を、刃とは異なる角度に強く押しつけて折っていた。
【０００４】
しかし、この方法では机等の面を傷ついてしまい、また、折った刃先は、あらぬ方向に飛散してしまい見失うと、床に落ちておれば知らずに踏んでしまい、足を切ったり、あるいは刺したりして思わぬ怪我をする恐れもあった。
【０００５】
また、切れ味の悪くなった刃先を折る際には、ペンチやヤットコ等の利器を用いて行なえば楽に折ることができるが、このような利器を常に用意しておくわけにもいかず、その都度、道具箱から取り出して来て使用することは煩雑であった。
【０００６】
しかも、折られた刃先は、金属製の尖鋭な形状であるため、工作をする子供たちには極めて危険であり、安全に処理する必要がある。
【考案の概要】
【考案が解決しようとする課題】
【０００７】
そこで、この考案の課題は、折った刃先を確実・安全に処理でき、環境にやさしい折り刃式カッターナイフにおける折り刃収納ケースを開発・提供することにある。
【課題を解決するための手段】
【０００８】
そこでこの考案は、上記の課題を解決すべく、外容器と、該外容器内に収納可能な内容器を取り出し可能に設けたケーシング本体を設け、該ケーシング本体の上面には、透明素材で形成した除き窓を設け、ケーシング本体の一側面には、カッターナイフの刃先部を差し込み、かつ、刃折りをするための差し込み溝を設け、また、ケーシング本体の外容器に、吊り下げ用の穴を設けた折り刃式カッターナイフにおける折り刃収納ケースである。
【考案の効果】
【０００９】
この考案によると、ケーシング本体に設けた差し込み溝に、カッターナイフの刃先部を差し込み、かつ、刃折りをするため、刃折りした先端部は、そのままケーシング本体の内容器内に収納されるため、外部に飛び散ることがなく極めて安全であるとの有益なる効果を奏するものである。
【００１０】
しかも、ケーシング本体は、横長の直方体形状をしており、刃先を折る際にも差し込み溝側と反対側を軽く持てば、力を加えることなく容易に折ることができ、極めて簡単である等の効果を奏するものである。
【００１１】
また、ケーシング本体の上面には除き窓を設けており、該窓から内部に折れた刃先が入ったか、否かを用意に確認できるため、安全であるとの極めて有益なる効果を奏する。
【図面の簡単な説明】
【００１２】
【図１】この考案の一実施例を示す正面図である。
【図２】この考案の一実施例を示す平面図である。
【図３】この考案の一実施例を示す背面図である。
【図４】この考案の使用状態を示す斜視図である。
【図５】図２中ａ−ａ拡大断面図である。
【図６】この考案の使用状態を示す一部欠截斜視図である。
【図７】この考案の他の実施例を示す斜視図である。
【考案を実施するための形態】
【００１３】
以下、この考案について詳細に説明する。尚、この考案においては、以下の記述に限定されるものではなく、この考案の要旨を逸脱しない範囲においては適宜変更可能である。
【実施例】
【００１４】
先ず、この考案の一実施例を図面に基づいて詳述すると、硬質プラスチック等の非磁性体素材で、それぞれ、外容器（１）と該外容器内に収納可能な内容器（２）を取り出し可能に設けたケーシング本体（Ｘ）を設け、該ケーシング本体（Ｘ）の上面には、透明素材で形成した除き窓（３）を設け、ケーシング本体（Ｘ）の一側面には、カッターナイフ（Ｙ）の刃部（７）の先端部を差し込み、かつ、刃折りをするための差し込み溝（４）を設け、また、ケーシング本体（Ｘ）の外容器（１）に、吊り下げ用の穴（５）を設けたことを特徴とする折り刃式カッターナイフにおける折り刃収納ケースから構成される。
【００１５】
尚、外容器（１）および内容器（２）の素材は、非磁性体素材で構成され、折り刃（Ｚ）が磁力で吸着されないよう、例えば、硬質プラスチック等で構成する。
【００１６】
また、内ケース（２）は、天板を有しない箱型であり、外容器（１）の上面に形成したのぞき窓（３）から折り刃（Ｚ）が見えるように構成している。
【００１７】
そして、ケーシング本体（Ｘ）は、外容器（１）と該外容器内に収納可能な内容器（２）からなる２個の箱体のものを示したが、図７に示すように、外容器（１）のみで、該外容器（１）における差し込み溝（４）を設けた側と反対側に開口自在の蓋部（８）を設けたものであってもよい。
【００１８】
さらに、刃折りをするための差し込み溝（４）は、通常は１個でよいが、刃幅の広いものや狭いものも存在するため、２つの差し込み溝（４ａ）（４ｂ）を設けてもよいものである。
【００１９】
さらに、差し込み溝（４ａ）（４ｂ）の周囲は、カッターナイフ（Ｙ）を差し込んで、折る作業をするため、これら溝（４ａ）（４ｂ）の周囲には補強部材（６）を用いて差し込み溝（４）を堅牢に形成しておく必要がある。
【００２０】
また、カッターナイフ（Ｙ）の刃部（７）には、それぞれ折るための溝（９）が形成されており、この溝（８）で折れるように構成されている。
【産業上の利用可能性】
【００２１】
この考案の折り刃式カッターナイフにおける折り刃収納ケースの技術を確立し、実施することにより、産業上利用できるものである。
【符号の説明】
【００２２】
１  外容器
２  内容器
Ｘ  ケーシング本体
３  除き窓
４  差し込み溝
４ａ  差し込み溝
４ｂ  差し込み溝
５  吊り下げ用の穴
６  補強部材
７  刃部
８  蓋部
９  溝
Ｙ  カッターナイフ
Ｚ  折り刃
【図１】
0003188862.tif 000003
【図２】
0003188862.tif 000004
【図３】
0003188862.tif 000005
【図４】
0003188862.tif 000006
【図５】
0003188862.tif 000007
【図６】
0003188862.tif 000008
【図７】
0003188862.tif 000009